(57)【特許請求の範囲】
【請求項１】
土壌又は地下水に含まれる有機ハロゲン化合物の簡易測定方法において、
予め前記有機ハロゲン化合物を複数の異なる濃度に調整し該濃度ごとに、発光細菌との接触時間による発光量の経時変化パターンを取得するパターン取得工程と、
前記取得した濃度ごとの経時変化パターンにおける発光量の低下挙動の違いに基づいて、該経時変化パターンを前記接触時間の初期、中期及び後期に区分する区分工程と、
前記土壌又は地下水から採取したサンプル液と発光細菌とを接触させて前記発光細菌による発光量の経時変化を測定する測定工程と、
前記測定したサンプルの経時変化データと前記予め取得した経時変化パターンとを照合する照合工程と、
前記照合した経時変化データにおける発光量の低下挙動が、前記初期、中期及び後期の何れにおいて発現するかにより前記サンプル液の有機ハロゲン化合物濃度を判定する判定工程と、を備えたことを特徴とする有機ハロゲン化合物の簡易測定方法。
【請求項２】
前記有機ハロゲン化合物は、ＰＣＢであることを特徴とする請求項１に記載の有機ハロゲン化合物の簡易測定方法。
【請求項３】
前記測定した経時変化データにおいて、前記接触時間が０〜１分の間を初期とし、前記接触時間が１〜３０分の間を中期とし、前記接触時間が３０〜１２０分の間を後期とすることを特徴とする請求項１又は２に記載の有機ハロゲン化合物の簡易測定方法。
【請求項４】
前記サンプル液は、前記有機ハロゲン化合物を有機溶媒に溶解させた後、濃縮したものであることを特徴とする請求項１又は請求項２に記載の有機ハロゲン化合物の簡易測定方法。
【請求項５】
前記有機溶媒は、メタノールであることを特徴とする請求項４に記載の有機ハロゲン化合物の簡易測定方法。
【請求項６】
前記サンプル液と接触させる前記発光細菌の菌体濃度を５０００〜４００００ＣＦＵ／ｍＬとすることを特徴とする請求項１〜５の何れか１項に記載の有機ハロゲン化合物の簡易測定方法。
【請求項７】
前記発光細菌と接触させるサンプル液が水溶液である場合は、前記サンプル液量Ｘと前記発光細菌の菌体量Ｙとの質量比Ｘ／Ｙを１／２以下とし、前記発光細菌と接触させるサンプル液が有機溶媒である場合は、前記質量比Ｘ／Ｙを１／２００以下とすることを特徴とする請求項１〜６の何れか１項に記載の有機ハロゲン化合物の簡易測定方法。
【発明の詳細な説明】
【技術分野】
【０００１】
本発明は、有機ハロゲン化合物の簡易測定方法及び装置に係り、特に土壌や地下水に含まれるＰＣＢ類やダイオキシン類等の有機ハロゲン化合物の濃度を、微生物を利用した毒性、有害性試験により簡易的にスクリーニングする方法に関する。
【背景技術】
【０００２】
２００２年に制定された土壌汚染対策法によって、テトラクロロエチレンやトリクロロエチレン等の有機塩素系化合物、カドミウム、六価クロムなどの重金属類、ＰＣＢ（ポリ塩化ビフェニル）や有機リン化合物等の農薬類が特定有害物質として規制対象となっている。ダイオキシン類についても、ダイオキシン類対策特別措置法等によって環境基準が制定されている。
【０００３】
その中でもＰＣＢは、化学的、熱的に安定であるため、トランスやコンデンサ等の電気機器の絶縁油や可塑剤、化学機器の熱媒体等に広く適用されていた。しかし、現在では生体に対する有害性が指摘されており、製造及び使用が禁止されるとともに、ＰＣＢによる土壌及び地下水汚染の調査や浄化対策の必要性が高まりつつある。
【０００４】
土壌汚染調査は、初めに広範囲にわたる表層調査を実施し、汚染の疑わしいエリアの絞り込みを行なう。絞り込みを行った後、不透水層までの詳細調査を行なうが、絞込み精度を高めるためには更に詳細な調査を行なう必要がある。また、汚染が存在した場合は浄化対策をとるが、一般的には、対象土壌を掘削して、場外搬出した後廃棄処分するか、或いはオンサイトの浄化処理を行った後埋め戻している。この際、掘削管理が非常に重要となるが、事前に行なった詳細調査によるコンター図だけでは不十分であり、分析しながら掘削を行なう必要がある。このとき、通常のＰＣＢ分析手法としては、ＧＣ−ＬＲＭＳやＧＣ−ＨＲＭＳ、ＧＣ−ＥＣＩ等の機器分析によって測定するため、分析結果が得られるまでには数日間かかるという問題がある。
【０００５】
これらの機器分析では、サンプルを分析施設へ持ち込む必要があること、前処理や測定に長時間を要すること、専門的な分析者が必要であること、高コストであること等の問題がある。このため、汚染の可能性のあるエリアを全て網羅するには時間、費用ともに莫大なものとなる。
【０００６】
このようなことから、ＪＩＳＫ０３１１：１９９９に規定されている公定法分析を補完し、高濃度汚染の有無の判断を現場で測定が可能で、簡易且つ安価に分析できる方法が望まれている。これまで、土壌汚染物質の簡易分析法としては、例えば特許文献１では、土壌等に含まれる有機ハロゲン化合物類をトルエン抽出し、その後金属ナトリウムと反応させて水相に移行させた後、滴定法、比濁法、分光光度法により有機ハロゲン化合物を分析する方法が提案されている。
【０００７】
また、特許文献２では、有機ハロゲン化合物の分析において、金属ナトリウムと陽イオン交換樹脂からなる分析用前処理キットを用いることで、前処理操作を簡易化する方法が提案されている。
【０００８】
また、特許文献３及び４では、主に、ダイオキシン類を対象とした簡易分析方法が提案されている。
【特許文献１】特開２００６−１７７９８１号公報
【特許文献２】特開２００６−２２６８１３号公報
【特許文献３】特開２００４−１５６９７０号公報
【特許文献４】特開２００１−３０５１２１号公報
【発明の開示】
【発明が解決しようとする課題】
【０００９】
しかしながら、特許文献１の方法では、操作が煩雑である上、分析時間が最短でも８時間以上かかるという問題があった。また、ＰＣＢの検出可否や検出感度については不明であった。
【００１０】
特許文献２の方法では、有機ハロゲン化合物の濃度が数十〜数千ｐｐｍレベルの高濃度を対象としており、低濃度の場合は検出できない虞があった。
【００１１】
特許文献３及び４の方法では、公定法を若干改良したものであり、作業や分析時間を考慮すると、簡易的な方法とはいえなかった。
【００１２】
このように、上記特許文献１〜４の方法では、いずれもＰＣＢを含む有機ハロゲン化合物をオンサイトで測定できるものではなく、簡易的且つ短時間、高検出感度でスクリーニングできるものでもなかった。
【００１３】
本発明はこのような事情に鑑みてなされたもので、土壌や地下水に含まれるＰＣＢ類を始めとする有機ハロゲン化合物をオンサイトで、簡易的且つ短時間、高検出感度で検出できる簡易測定方法及び装置を提供することを目的とする。
【課題を解決するための手段】
【００１４】
本発明の請求項１は前記目的を達成するために、土壌又は地下水に含まれる有機ハロゲン化合物の簡易測定方法において、予め前記有機ハロゲン化合物を複数の異なる濃度に調整し該濃度ごとに、発光細菌との接触時間による発光量の経時変化パターンを取得するパターン取得工程と、前記取得した濃度ごとの経時変化パターンにおける発光量の低下挙動の違いに基づいて、該経時変化パターンを前記接触時間の初期、中期及び後期に区分する区分工程と、前記土壌又は地下水から採取したサンプル液と発光細菌とを接触させて前記発光細菌による発光量の経時変化を測定する測定工程と、前記測定したサンプルの経時変化データと前記予め取得した経時変化パターンとを照合する照合工程と、前記照合した経時変化データにおける発光量の低下挙動が、前記初期、中期及び後期の何れにおいて発現するかにより、前記サンプル液の有機ハロゲン化合物濃度を判定する判定工程と、を備えたことを特徴とする有機ハロゲン化合物の簡易測定方法を提供する。
【００１５】
発明者らは、有機ハロゲン化合物の所定濃度ごとに、ある一定の発光量の経時変化挙動（パターン）を示すことを見出した。さらに、発光量の経時変化挙動を初期、中期、後期と区分した各領域ごとに発光量の増減を判断することで、有機ハロゲン化合物の濃度を高い検出精度で推定できることを見出した。
【００１６】
請求項１によれば、予め取得した各濃度ごとの発光量の経時変化挙動（パターン）を接触時間の初期、中期、後期に区分し、未知のサンプル液の発光量の経時変化データにおける低下挙動が何れの領域で発現するかを判断することで、未知のサンプル液における有機ハロゲン化合物の濃度を判定できる。したがって、サンプル液を分析施設へ持ち込み、機器分析する必要がなく、オンサイトで簡易的且つ短時間、高検出感度で検出できる。なお、発光量の経時変化パターンは、予め標準データとして用意しておいてもよいし、現場で各濃度のサンプル液を調製してその場で作成してもよい。なお、発光量の経時変化挙動（パターン）を初期、中期、後期に区切る際、各領域は一部又は全部が重複してもよく、要求される検出精度に応じて区切り方を適宜変更することもできる。
【００１７】
請求項２は請求項１において、前記有機ハロゲン化合物は、ＰＣＢであることを特徴とする。
【００１８】
請求項２によれば、ＰＣＢは高い検出精度が必要であり、本発明が特に有効である。
【００１９】
請求項３は請求項１又は２において、前記測定した経時変化データにおいて、接触時間０〜１分の間を初期とし、接触時間１〜３０分の間を中期とし、接触時間３０〜１２０分の間を後期とすることを特徴とする。
【００２０】
請求項３によれば、低濃度のＰＣＢも精度よく検出できる。
【００２１】
請求項４は請求項１〜３の何れか１項において、前記サンプル液は、前記有機ハロゲン化合物を有機溶媒に溶解させた後、濃縮したものであることを特徴とする。
【００２２】
有機溶媒は、有機ハロゲン化合物の溶解性が高いため抽出し易く、揮発性も高いので有機ハロゲン化合物を短時間で濃縮できる。したがって、低濃度の有機ハロゲン化合物でも短時間且つ高検出精度で検出できる。
【００２３】
請求項５は請求項４において、前記有機溶媒は、メタノールであることを特徴とする。
【００２４】
請求項５によれば、検出対象物質である有機ハロゲン化合物を溶解し易く、効率よく抽出できるとともに、発光細菌へのダメージも少なくすることができる。
【００２５】
請求項６は請求項１〜５の何れか１項において、前記サンプル液と接触させる前記発光細菌の菌体濃度を５０００〜４００００ＣＦＵ／ｍＬとすることを特徴とする。
【００２６】
請求項６によれば、菌体濃度を５０００〜４００００ＣＦＵ／ｍＬとすることで、高い検出感度を維持できる。なお、菌体濃度を８０００〜２００００ＣＦＵ／ｍＬとすることがより好ましい。
【００２７】
請求項７は請求項１〜６の何れか１項において、前記発光細菌と接触させるサンプル液が水溶液である場合は、前記サンプル液量Ｘと前記発光細菌の菌体量Ｙとの質量比Ｘ／Ｙを１／２以下とし、前記発光細菌と接触させるサンプル液が有機溶媒である場合は、前記質量比Ｘ／Ｙを１／２００以下とすることを特徴とする。
【００２８】
菌体量に対してサンプル液の割合が多すぎると、発光細菌がダメージを受けて検出精度が低下する。請求項７によれば、サンプル液が水溶液である場合は、サンプル液量Ｘと発光細菌の菌体量Ｙとの質量比Ｘ／Ｙを１／２以下にするので、検出精度の低下を抑制できる。また、サンプル液が有機溶媒である場合は、発光細菌が有機溶媒によるダメージを受け易いが、菌体量Ｙの割合を増やす（質量比Ｘ／Ｙを１／２００以下とする）ことで検出感度の低下を抑制できる。
【発明の効果】
【００３１】
本発明によれば、土壌や地下水に含まれるＰＣＢ類を始めとする有機ハロゲン化合物をオンサイトで、簡易的且つ短時間、高検出感度で検出できる。
【発明を実施するための最良の形態】
【００３２】
以下、添付図面に従って本発明に係る有機ハロゲン化合物の簡易測定方法及び装置の好ましい実施の形態について説明する。
【００３３】
本実施の形態は、土壌や地下水から採取したサンプル液に含まれるＰＣＢ濃度を、オンサイトで簡易的に一次スクリーニングする例で説明する。
【００３４】
発光細菌は、発光細菌の呼吸機構に伴って発光するが、この過程でＰＣＢ等の有害性物質が作用すると発光細菌がダメージを受けて発光が抑制される。本発明は、この性質を利用し、発光量の経時変化を測定することで土壌等から採取したサンプル液Ｂに含まれるＰＣＢ濃度を検出するものである。
【００３５】
本発明に使用される発光細菌としては、例えば、海洋性発光細菌（Vibro fischri）などが挙げられる。
【００３６】
本発明が対象とする有機ハロゲン化合物としては、例えば、ジクロロメタン、トリクロロエチレン、テトラクロロエチレン、クロロベンゼン類、クロロフェノール類、ＰＣＢ類、ダイオキシン類、クロロベンゾフラン類、各種ブロモ化合物、各種のハロゲン系農薬類などの多種類の有機ハロゲン誘導体が挙げられる。中でも、ＰＣＢ類、ダイオキシン類の検出に好適である。
【００３７】
まず、本発明に使用される簡易分析装置の概要について説明する。
【００３８】
図１は、本発明に使用される簡易分析装置１０の概略構成の一例を示す概略図である。図２は、図１の検出装置１６を説明する概略図である。
【００３９】
簡易分析装置１０は、図１及び図２に示すように、主に、土壌から採取したサンプル液に発光細菌を含む菌液を混合した液を保持する複数のセル１２…を備えた専用プレート１４と、該専用プレート１４を収納し、サンプル液の発光量を検出する検出装置１６と、該検出装置１６とＰＣケーブル１７を介して接続され、検出結果を表示するＰＣ（コンピュータ）１８と、を備えている。
【００４０】
これにより、専用プレート１４の各セル１２内に発光細菌の菌液（Ａ）と、有機ハロゲン化合物を含有するサンプル液（Ｂ）を注入した後、専用プレート１４を検出装置１６にセットし、ＰＣ１８の表示画面でサンプル液の発光量の経時変化を測定する。
【００４１】
このような簡易分析装置１０としては、オンサイト対応土壌毒性検査システムＲＯＴＡＳ（Ｒａｐｉｄ  Ｏｎｓｉｔｅ  Ｔｏｘｉｃｉｔｙ  Ａｕｄｉｔ  Ｓｙｓｔｅｍ、日立化成工業）を使用できる。
【００４２】
次に、図１の簡易分析装置１０を用いて、ＰＣＢの各濃度ごとの発光量の経時変化パターンを取得する方法について説明する。
【００４３】
まず、ＰＣＢ濃度が０．００００６５〜０．００１３ｍｇ−ＰＣＢ／ｃｅｌｌ（０．０６５〜１．３ｍｇ−ＰＣＢ／Ｌ）の各標準サンプル液Ｂを調製する。そして、図２の専用プレート１２の複数のセル１２…に発光細菌の菌液Ｂをシリンジ１９で０．９５ｍＬずつ注入した後、各標準サンプル液Ｂを０．０５ｍＬずつ添加して、総量が１ｍＬになるようにする。このように調製した各濃度のサンプルを一定時間（１〜１２０分）静置する。これを検出装置１６にセットし、各セル１２における発光量の経時変化を測定し、ＰＣ１８の表示画面で観察する。なお、ブランクとして清水及びメタノールのみ、コントロールとして発光細菌と清水及びメタノールを混合した条件での発光強度を測定し、各実験条件の値を補正する。
【００４４】
図３は、このときの発光量（相対発光強度）の経時変化パターンを示す図である。
相対発光強度＝（各サンプルを添加したセルの発光強度）／（ブランクの発光強度）
測定条件：温度…２０℃、測定時間…１２０分、菌体濃度…１５０００ＣＦＵ／ｍＬ
図３に示すように、発光量の経時変化挙動は、標準サンプル液Ｂに含まれるＰＣＢ濃度によって異なることがわかる。すなわち、０．７８ｍｇ−ＰＣＢ／Ｌ以上ではＰＣＢの添加直後に発光量は低下し、それ以後、発光量はほぼ一定で変化はみられない。また、０．５２ｍｇ−ＰＣＢ／Ｌでは、一旦発光量は低下し、その後初期発光量まで上昇した後に再度低下する。０．５２ｍｇ−ＰＣＢ／Ｌより低濃度では、ＰＣＢ添加直後に発光量は約１．６倍まで上昇し、それ以後は徐々に低下する。
【００４５】
さらに、図３の経時変化パターンは、経過時間（接触時間）０〜１分を初期とし、経過時間１〜３０分を中期とし、経過時間３０〜１２０分を後期として区分することで、詳細に分析できる。図４は、図３で区分した初期における発光量の経時変化データであり、図５は、中期における発光量の経時変化データであり、図６は、後期における発光量の経時変化データである。
【００４６】
初期では、図４に示すように、ＰＣＢ濃度が０．５２ｍｇ−ＰＣＢ／Ｌを境に発光量の低下挙動が異なる。すなわち、ＰＣＢ濃度が０．５２ｍｇ−ＰＣＢ／Ｌよりも低いと発光量は上昇し、０．５２ｍｇ−ＰＣＢ／Ｌよりも高いと発光量は低下する。これにより、ＰＣＢ濃度について０．５２ｍｇ−ＰＣＢ／Ｌを基準とした大小を判定できる。
【００４７】
中期では、図５に示すように、０．０６５ｍｇ−ＰＣＢ／Ｌを境に発光量の低下挙動が異なる。すなわち、０．０６５ｍｇ−ＰＣＢ／Ｌ以下（ブランクを含む）になると発光量が低下し、０．０６５ｍｇ−ＰＣＢ／Ｌよりも高いと発光量はほぼ一定となる。これにより、０〜０．０６５ｍｇ−ＰＣＢ／Ｌの範囲が判定できる。
【００４８】
後期では、図６に示すように、０．２６ｍｇ−ＰＣＢ／Ｌを境に発光量の低下挙動が異なる。すなわち、０．２６ｍｇ−ＰＣＢ／Ｌ以下になると発光量が一旦上昇した後低下するカーブが得られ、０．２６ｍｇ−ＰＣＢ／Ｌよりも高いと、前述のようなカーブはなくなる。これにより、０〜０．２６ｍｇ−ＰＣＢ／Ｌの範囲が判定できる。
【００４９】
なお、発光量の経時変化パターンは、ＰＣＢ濃度が既知の土壌又は地下水から採取したサンプル液を、各濃度にそれぞれ希釈又は濃縮したものを用いて作成できるが、ＰＣＢ濃度が既知の標準サンプル液を調製して作成してもよい。
【００５０】
以下、図１の簡易分析装置１０を用いて、未知のサンプル液についてＰＣＢ濃度を測定（及び判定）する方法について説明する。
【００５１】
図７は、本発明に係る簡易分析方法の流れを説明する説明図である。まず、ＰＣＢを含有するサンプル液Ｂの前処理工程について説明する。
【００５２】
抽出工程では、土壌等から採取したサンプル液を有機溶媒と混合し、ＰＣＢを有機溶媒に抽出する。使用する有機溶媒としては、発光細菌に対するダメージが少なく、且つ検出対象であるＰＣＢの溶解性が高いものが好ましく、例えば、ヘキサン、メタノール、エタノール、ＤＭＳＯ（ジメチルスルホキシド）等が使用できる。中でも、発光細菌へのダメージが少ないメタノール及びＤＭＳＯが好ましく、極性が高く、ＰＣＢの溶解性の高いメタノールがより好ましい。
【００５３】
有機溶媒の発光細菌に対する影響については、図８で確認することができる。図８は、発光細菌の菌液１０００μＬを用意し、各菌液に対して各種有機溶媒（ヘキサン、メタノール、エタノール、ＤＭＳＯ）を５０μＬ添加したときの発光量を比較したグラフ図である。
【００５４】
図８に示すように、メタノール又はＤＭＳＯを添加した場合に最も発光量が高く、特にメタノールを添加した場合に発光細菌によるダメージが少ないことがわかる。
【００５５】
なお、採取したサンプル液Ｂが地下水である場合、そのまま有機溶媒と混合して抽出操作を行うことができる。一方、採取したサンプル液Ｂが砂利等を含む土壌サンプルである場合、土壌サンプルを有機溶媒と混合・攪拌した後、上澄み液を分離（例えば、遠心分離）・ろ過することでサンプル液を得ることができる。
【００５６】
濃縮工程では、上記抽出した有機溶媒を加熱濃縮することで、サンプル液Ｂ中のＰＣＢ濃度を高くする。加熱温度は、使用する有機溶媒によるが、例えば８０〜１２０℃とすることができる。その他、有機溶媒を減圧雰囲気下で濃縮する方法も採用できる。これにより、採取したサンプル液ＢのＰＣＢが極めて低濃度であっても、検出できるようになる。
【００５７】
なお、濃縮工程は必要に応じて行えばよく、採取したサンプル液自体が高濃度である場合は省いてもよい。このように、前処理したサンプル液を未知の抽出サンプル液Ｂとする。この前処理工程は、予め発光量の経時変化パターンを作成する際にも適用できることはいうまでもない。
【００５８】
次に、図１の簡易分析装置１０を用いて、ＰＣＢ濃度が未知の抽出サンプル液Ｂに含まれるＰＣＢの簡易測定工程について図７を参照して説明する。
【００５９】
まず、図１の専用プレート１４のセル１２内に発光細菌の菌液Ｂを０．９５ｍＬずつ注入した後、ＰＣＢ濃度が未知の抽出サンプル液Ｂを０．０５ｍＬ添加して、総量が１ｍＬになるようにする。このように調製した測定用のサンプルを一定時間（１〜１２０分）静置する。
【００６０】
これを検出装置１６にセットした後、各セル１２の発光量の経時変化を測定し、ＰＣ１８の表示画面で観察する。なお、ブランクとして清水及びメタノールのみ、コントロールとして発光細菌と清水及びメタノールを混合した条件での発光強度を測定し、各実験条件の値を補正する。
【００６１】
そして、既述した図３〜図６の発光量の経時変化パターンに従い、測定した未知の抽出サンプル液Ｂの発光量の経時変化データについて、経過時間０〜１分を初期とし、経過時間１〜３０分を中期とし、経過時間３０〜１２０分を後期として区分する。
【００６２】
未知の抽出サンプル液Ｂの発光量の経時変化データの初期において、例えば、（図４のように）発光量が経時的に上昇していると、未知の抽出サンプル液Ｂに含まれるＰＣＢ濃度は０．５２ｍｇ−ＰＣＢ／Ｌよりも低いと判定できる。
【００６３】
同様に、発光量の経時変化データの中期において、未知の抽出サンプル液Ｂの発光量が経時的に低下していると、未知の抽出サンプル液Ｂに含まれるＰＣＢ濃度は０．０６５ｍｇ−ＰＣＢ／Ｌ以下であると判定できる。
【００６４】
同様に、発光量の経時変化データの後期において、未知の抽出サンプル液Ｂの発光量が経時的に一旦上昇した後低下していると、未知の抽出サンプル液Ｂに含まれるＰＣＢ濃度は０．０２６ｍｇ−ＰＣＢ／Ｌ以下であると判定できる。一方、未知の抽出サンプル液Ｂの発光量がほぼ一定であれば、０．０２６ｍｇ−ＰＣＢ／Ｌよりも高いと判定できる。
【００６５】
このように本実施の形態によれば、予め取得した発光量の経時変化パターン（図３〜図６）を初期、中期、後期と区分し、測定した経時変化データにおける発光量の低下挙動が上記区分した何れの領域において発現するかを判別する。これにより、ＰＣＢ濃度が０．０６５ｍｇ−ＰＣＢ／Ｌ以下、即ち第二溶出量基準である０．００３ｍｇ／Ｌの約２０倍の濃度まで検出が可能となる。また、サンプル液中のＰＣＢ濃度を、簡易的な方法、且つ前処理から測定までを約２時間以内で行うことができる。
【００６６】
上記測定において、調製サンプル液Ｂが水溶液の場合は、発光細菌に対する悪影響はない。しかし、ＰＣＢ濃度が高い場合は発光細菌に悪影響を与えるため菌体量が低下し、それに伴い検出感度も低下する。このため、接触させるサンプル液量Ｘと発光細菌の菌体量Ｙとの質量比Ｘ／Ｙを１／２以下とすることが好ましい。調製サンプル液Ｂが有機溶媒の場合は、有機溶媒が発光細菌に対して影響を及ぼすことが懸念されるので、上記の質量比Ｘ／Ｙは１／２００以下とすることが好ましい。
【００６７】
発光細菌の発光量は、菌体濃度の上昇に伴って増加する。ここで、接触させたサンプル液における発光細菌の菌体濃度が５０００ＣＦＵ／ｍＬ以下では極度に検出感度が低下し、２００００ＣＦＵ／ｍＬ以上では検出感度が顕著に向上しない。これより、発光細菌の菌体濃度は５０００〜４００００ＣＦＵ／ｍＬとすることが好ましく、８０００〜２００００ＣＦＵ／ｍＬとすることがより好ましい。
【００６８】
なお、本実施の形態では、採取したサンプル液Ｂの前処理や菌液Ａの添加等をハンドリングで行う例で説明したが、これらを装置で行ってもよい。
【００６９】
図９は、図１の別態様である簡易分析装置２０を示すブロック図である。
【００７０】
図９に示すように、簡易分析装置２０は、主に、土壌等から採取したサンプル液Ｂを保持する保持部２２と、有機溶媒を供給する有機溶媒供給部２４と、サンプル液Ｂと有機溶媒を混合、振とうする混合部２６と、混合したサンプル液Ｂを濃縮する濃縮部２８と、発光細菌の菌液Ａを供給する菌液供給部３０と、濃縮したサンプル液Ｂと菌液Ａとを接触させた後、発光量を検出する検出部３２と、を備えている。なお、検出部３２での検出結果は、接続されたＰＣ１８に出力される（点線矢印）。
【００７１】
濃縮部２８としては、例えば、各種ヒータが使用できる。
【００７２】
これにより、操作者は、簡易分析装置２０をＰＣ１８に接続すると共に、採取したサンプル液Ｂと菌液Ａを保持部２２、有機溶媒供給部２４にそれぞれセットするだけで、サンプル液Ｂの前処理を含めたＰＣＢ濃度の測定を効率的に行うことができる。
【００７３】
以上、本発明に係る簡易分析方法及び装置の好ましい実施形態について説明したが、本発明は上記実施形態に限定されるものではなく、各種の態様が採り得る。
【００７４】
たとえば、上記実施の形態では、ＰＣＢの各濃度ごとの発光量の経時変化パターンを予め取得しておき、現場では、ＰＣＢ濃度が未知のサンプル液についてのみ測定する例で説明したが、これに限定されず、オンサイトでＰＣＢ濃度が既知のサンプル液を用意し、各濃度ごとの発光量の経時変化パターンを取得してもよい。
【００７５】
上記実施の形態では、ＰＣＢ濃度が未知のサンプル液について、前処理として濃縮を行う例で説明したが、ＰＣＢ濃度が高濃度である場合は、これとは逆に希釈を行ってもよい。
【００７６】
また、発光量の経時変化パターンを初期、中期、後期に区切る際、各領域は重複してもよく、要求される検出精度に応じて区切り方を適宜変更してもよい。さらに、初期、中期、後期はそれぞれ１つずつに限らず、２つ以上であってもよい。
【００７７】
上記実施の形態では、検出対象物質がＰＣＢである例で説明したが、その他の有機ハロゲン化合物についても適用できる。
【図面の簡単な説明】
【００７８】
【図１】本実施形態において使用される簡易分析装置の概略構成の一例を示す概略図である。
【図２】図１の検出装置の一例を示す説明図である。
【図３】本実施の形態における発光量の経時変化パターンを示すグラフ図である。
【図４】本実施の形態における発光量の経時変化パターンを示すグラフ図である。
【図５】本実施の形態における発光量の経時変化パターンを示すグラフ図である。
【図６】本実施の形態における発光量の経時変化パターンを示すグラフ図である。
【図７】本実施の形態における簡易分析方法の流れを説明する説明図である。
【図８】本実施の形態におけるグラフ図である。
【図９】本実施の形態における簡易分析装置の別態様を示すブロック図である。
【符号の説明】
【００７９】
１０…簡易分析装置、１２…セル、１４…専用プレート、１６…検出装置、１８…ＰＣ、２０…簡易分析装置、２２…保持部、２４…有機溶媒供給部、２６…混合部、２８…濃縮部、３０…菌液供給部、３２…検出部
【図１】
0004888720.tif 000002
【図２】
0004888720.tif 000003
【図３】
0004888720.tif 000004
【図４】
0004888720.tif 000005
【図５】
0004888720.tif 000006
【図６】
0004888720.tif 000007
【図７】
0004888720.tif 000008
【図８】
0004888720.tif 000009
【図９】
0004888720.tif 000010